(57)【要約】【課題】告知できる情報量を極力多く確保しつつ、移動しつつ告知作業を行なう際に作業者への負担を軽減することのできる携帯型告知用具を提供する。【解決手段】告知情報Ａ・Ｂの表示面２ａ・２ｂが表裏に設けられた矩形状の告知板２と、この告知板の一辺に沿って固着された支持ロッド３とを備え、この支持ロッドが告知板の一辺から突出して設けられ、この支持ロッドの突出部と交差する告知板の他辺とで形成される角部に肩当て４を設けてなることを特徴とする。【選択図】図１
0003227300.tif 000002
【実用新案登録請求の範囲】
【請求項１】
告知情報の表示面が表裏に設けられた矩形状の告知板と、この告知板の一辺に沿って固着された支持ロッドとを備え、この支持ロッドが、前記告知板の一辺から突出して設けられ、この支持ロッドの突出部と交差する前記告知板の他辺とで形成される角部に肩当てを設けてなることを特徴とする携帯型告知用具。
【請求項２】
前記肩当てが、可撓性を有するバンドであることを特徴とする請求項１に記載の携帯型告知用具。
【請求項３】
前記肩当てが、天然若しくは合成樹脂からなるスポンジであることを特徴とする請求項１に記載の携帯型告知用具。
【請求項４】
前記支持ロッドが、前記突出部の基端部近傍において長さ方向に２分割されているとともに、この分割部に、２分割された支持ロッドを回動可能に連結するヒンジが設けられていることを特徴とする請求項１に記載の携帯型告知用具。
【請求項５】
前記支持ロッドの前記分割部に、２分割された支持ロッドを直線状に保持するロック手段が設けられていることを特徴とする請求項４に記載の携帯型告知用具。
【考案の詳細な説明】
【技術分野】
【０００１】
本考案は、人手によって把持される支持ロッドに、告知情報が記された表示手段を取り付けてなる携帯型告知用具に関するものである。
【背景技術】
【０００２】
この種の携帯型告知用具として、旗竿に布製の旗を装着し、この旗に告知情報を記載した幟や、板状の告知板に支持ロッドを固定したプラカード等が知られている。
【０００３】
前述した幟では、告知情報を記載する表示手段が布であるため用具の重量が軽く、移動しながらの告知作業や携帯性において有利である。
しかしながら、旗の一方の面に記載された告知情報が裏面に透けてしまうことから、旗の両面に告知情報を記載すると、表裏面のそれぞれに記載された告知情報が重なり合って、告知情報が視認しづらくなる。
【０００４】
したがって、幟では、告知情報は旗の一面にしか記載できず、告知できる情報量が制限されるといった不具合がある。
【０００５】
告知する情報量を増やすための一例として、たとえば特許文献１に示されるように、表示手段に板状の告知板を用い、この告知板に支持ロッドを固定したプラカードがある。
【０００６】
このようなプラカードにあっては、告知板のそれぞれの面に記載された告知情報が相互に干渉することがなく、各面に告知情報を記載することができるので、告知できる情報量を増やすことができる。
【先行技術文献】
【特許文献】
【０００７】
【特許文献１】特開２００７−１３３２７５号公報
【考案の概要】
【考案が解決しようとする課題】
【０００８】
しかしながら、このようなプラカードにおいても、次のような解決すべき問題点が残されている。
【０００９】
すなわち、プラカードは表示手段として板状の告知板を用いていることから重くなる。
そして、告知作業者は、プラカードの支持ロッドを把持して表示部を高く掲げて告知作業を行ない、また、携帯型告知用具を持ったまま移動しつつ告知作業を行なっているが、前述したように携帯型告知用具の重量が告知作業者の負担となっている。
【００１０】
本考案は、このような従来の問題点に鑑みてなされたもので、告知できる情報量を極力多く確保しつつ、告知作業者への負担を軽減して取り扱いを容易にする携帯型告知用具を提供することを解決すべき課題とする。
【課題を解決するための手段】
【００１１】
本考案の携帯型告知用具は、前述した課題を解決するために、告知情報の表示面が表裏に設けられた矩形状の告知板と、この告知板の一辺に沿って固着された支持ロッドとを備え、この支持ロッドが、前記告知板の一辺から突出して設けられ、この支持ロッドの突出部と交差する前記告知板の他辺とで形成される角部に肩当てを設けてなることを特徴とする。
【００１２】
このような構成とすることにより、告知板の両面を利用して告知情報を記載することができるので、告知情報量を確保することができる。
【００１３】
告知作業者は、支持ロッドを掴んで告知板を掲げることにより、この告知板を高い位置に位置させて告示を行ない、また、肩当てを肩に当てた状態とすることにより、告知板を低い位置に位置させて告示を行なう。
【００１４】
高い位置で告知すると視認性が向上して告知効果が高まるが、携帯型告知用具の重量が告知作業者の腕に集中することから、告知作業者が告知板を高く掲げ続けることには限度がある。
【００１５】
そして、高い位置での告知作業を継続できない状況に至った場合には、告知板を下ろして低い位置での告知を行なう。
【００１６】
この場合、支持ロッドを地面に当てて携帯型告知用具を保持することにより、告知作業者の腕への負担を軽減することも可能であるが、携帯型告知用具の倒れを防止するために常に支持ロッドを掴んでおかなければならないことから、前述した腕への負担軽減効果が低い。
【００１７】
そこで本考案においては、告知作業者は、肩当てを肩に当てた状態で携帯型告知用具を支持することができる。
【００１８】
これによって、告知作業者は、携帯型告知用具の重量を腕と肩に分散させて支持することができるとともに、携帯型告知用具を支持ロッドと肩当てとの２点で支持して倒れにくくすることができるので、告知作業者の腕へかかる負荷を大幅に軽減することができる。
【００１９】
また、移動に際して、肩当てを利用して担いだ状態で移動することができるので、移動時の携帯型告知用具の揺れを極力抑えて移動を容易にする。
【００２０】
前記肩当ては、可撓性を有するバンドや天然若しくは合成樹脂からなるスポンジによって構成することができる。
【００２１】
前記支持ロッドは、前記突出部の基端部近傍において長さ方向に２分割し、この分割部に２分割された支持ロッドを連結するヒンジを設けて回動可能な構成とすることができる。
【００２２】
このような構成とすることにより、不使用時に、支持ロッドを告知板に沿うように折り畳んでコンパクト化し、持ち運びや収納を容易にすることができる。
【００２３】
このような構成とする場合、前記支持ロッドの前記分割部に、２分割された支持ロッドを直線状に保持するロック手段を設けることが好ましい。
【００２４】
このような構成とすることにより、使用時における支持ロッドの折れを防止して安定した使用を可能にすることができる。
【考案の効果】
【００２５】
本考案の携帯型告知用具によれば、告知できる情報量を極力多く確保しつつ、告知作業者への負担を軽減して取り扱いを容易にする携帯型告知用具を提供することができる。
【図面の簡単な説明】
【００２６】
【図１】本考案の一実施形態を示すもので、（ａ）は正面図、（ｂ）は背面図である。
【図２】本考案の一実施形態を示すもので、支持ロッドに設けられるロック手段の拡大図である。
【図３】本考案の一実施形態の作用説明図で、（ａ）は正面図、（ｂ）は（ａ）のＩ−Ｉ線矢視拡大図である。
【図４】本考案の一実施形態の使用説明図である。
【図５】本考案の他の実施形態を示す正面図である。
【図６】本考案のさらに他の実施形態を示す正面図である。
【図７】図６に示す実施形態の使用説明図である。
【図８】本考案の肩当ての固定構造の変形例を示す要部の拡大図である。
【図９】支持ロッドの変形例を示すもので、（ａ）は使用状態を、（ｂ）は折り畳んだ状態を示す縦断面図である。
【考案を実施するための形態】
【００２７】
以下、本考案の一実施形態について図１ないし図４を参照して説明する。
これらの図において、符号１は本実施形態に係わる携帯型告知用具を示す。
【００２８】
この携帯型告知用具１は、図１に示すように、告知情報Ａ・Ｂの表示面２ａ・２ｂが表裏に設けられた矩形状の告知板２と、この告知板２の一辺に沿って固着された支持ロッド３とを備え、この支持ロッド３が、告知板２の一辺から突出して設けられ、前記支持ロッド３の突出部と交差する告知板２の他辺とで形成される角部に肩当て４を設けた構成となっている。
【００２９】
前記告知板２はプラスチックや木等によって長方形状に形成されており、かつ、不透明に形成されてその表裏面が前記表示面２ａ・２ｂとなされており、それぞれの表示面２ａ・２ｂに告知情報Ａ・Ｂが記載されている。
【００３０】
また、告知板２は、本実施形態においては長辺が上下方向に沿うように用いられており、一方の長辺に前記支持ロッド３が取り付けられている。
【００３１】
前記支持ロッド３は、告知板２の長辺より長く形成されて、この告知板２から長辺方向に所定長さ突出させられている。
【００３２】
さらに、支持ロッド３は、告知板２の近傍において長さ方向に２分割された一対の支持ロッド構成体３ａ・３ｂに構成されており、一方の支持ロッド構成体３ａが告知板２の長辺に固定され、この一方の支持ロッド構成体３ａの端部に、他方の支持ロッド構成体３ｂがヒンジ５を介して回動可能に連結されている。
【００３３】
このように構成された支持ロッド３は、他方の支持ロッド構成体３ｂを一方の支持ロッド構成体３ａへ向けて回動させることによって、図３（ａ）に示すように、一方の支持ロッド構成体３ａに重ね合わされるようになっている。
【００３４】
また、一方の支持ロッド構成体３ａには、重ね合わされる他方の支持ロッド構成体３ｂを把持固定する固定部材６が設けられている。
【００３５】
この固定部材６は、図３（ｂ）に示すように、弾性材料によって断面が略Ｕ字状に形成されているとともに、その底部において一方の支持ロッド構成体３ａに固定されることにより、その開口部が告知板２の外方へ向くように固定されている。
【００３６】
そして、固定部材６に、一方の支持ロッド構成体３ａに重ね合わされる他方の支持ロッド構成体３ｂを嵌合させることにより、この他方の支持ロッド構成体３ｂが弾性的に把持されて固定されるようになっている。
【００３７】
また、両支持ロッド構成体３ａ・３ｂの連結部で、ヒンジ５と反対側の部位には、これらの支持ロッド構成体３ａ・３ｂを直線状に保持するロック手段７が設けられている。
【００３８】
このロック手段７は、図２に詳述するように、一方の支持ロッド構成体３ａに突設されたロックピン８と、他方の支持ロッド構成体３ｂにピン９を介して回動可能に取り付けられたロック片１０とによって構成されている。
【００３９】
前記ロック片１０の回動中心から離間した部位には、回動方向に開放した係合溝１０ａが形成され、この係合溝１０ａがロックピン８に係合させられることにより、両支持ロッド構成体３ａ・３ｂを連結してこれらのヒンジ５周りの相対回動を拘束し、両支持ロッド構成体３ａ・３ｂを直線状に固定するようになっている。
【００４０】
前記肩当て４は、本実施形態では、布製のバンドが用いられており、一端部が一方の支持ロッド構成体３ａに固定され、他端部が告知板２の下縁に固定されている。
【００４１】
また、この肩当て４はその中間部において湾曲するように緩く取り付けられており、告知作業者の肩に載せた際に、この肩に馴染むように変形させられるようになっている。
【００４２】
このように構成された本実施形態の携帯型告知用具１は、告知情報Ａを一方の表示面２ａに記載し、他の告知情報Ｂを他方の表示面２ｂに記載することにより、異なる告知情報を記載して告知することができ、告知できる情報量を極力増やすことができる。
【００４３】
そして、通常の使用時においては、他方の支持ロッド構成体３ｂを一方の支持ロッド構成体３ｂの延長上に位置するように回動させた後、これらの支持ロッド構成体３ａ・３ｂをロック手段７によって一本の棒状に固定する。
【００４４】
移動時には、図４に示すように、肩当て４を告知作業者Ｍの肩に載せるとともに、棒状に固定された支持ロッド３を掴むことによって携帯型告知用具１を保持する。
【００４５】
この状態において、携帯型告知用具１の重量の多くが告知作業者Ｍの肩によって支持され、残余の重量が腕によって支持される。
【００４６】
この結果、告知作業者Ｍの腕への負担を軽減することができるとともに、携帯型告知用具１を肩と腕との２点において支持することにより、移動時における携帯型告知用具１の揺れ等を抑制することができ、これらの相乗作用により、携帯型告知用具１を持ったままでの移動を容易にする。
【００４７】
一方、前述したように、携帯型告知用具１を担いだ状態において、その表示面２ａ・２ｂは低く位置させられて、低い位置での告知を行なうことができる。
【００４８】
高い位置での告知を行なうには、肩当て４を告知作業者Ｍの肩から離すように支持ロッド３を持ち上げて、表示面２ａ・２ｂを高い位置に位置させる。
これによって、告知情報Ａ・Ｂを高く掲げて告知効果を高めることができる。
【００４９】
高い位置での告知作業によって告知作業者Ｍの腕にかかる負担が大きくなった場合には、肩当て４を肩にあてて担ぐことにより負担を軽減することができる。
【００５０】
告知作業を終えた際には、ロック手段７を開放するとともに、他方の支持ロッド構成体３ｂを回動させて一方の支持ロッド構成体３ａに重ね合わせ、さらに、他方の支持ロッド構成体３ｂを固定部材６に嵌め合わせて固定する。
【００５１】
これによって、携帯型告知用具１をコンパクトに折り畳むことができ、持ち運びや収納を簡便なものとすることができる。
【００５２】
なお、前記実施形態において示した各部位の諸形状や寸法、あるいは、材質等は一例であって、設計要求等に基づき種々変更可能である。
【００５３】
たとえば、前記肩当て４を布製のバンドとして例示したが、これに替えて、図５に示すように、天然若しくは合成樹脂からなるスポンジ１１を用いることができる。
【００５４】
また、図６に示すように、告知板２の、支持ロッド構成体３ａに沿う部位に長穴１２を形成しておくことができる。
【００５５】
このような構成とすることにより、携帯型告知用具１を持ち運ぶ際に、図７に示すように、告知作業者Ｍの指を長穴１２に通すことにより、支持ロッド３を掴むようにして携帯型告知用具１を携帯することができる。
【００５６】
また、前記肩当て４の固定は接着やビス止め等があるが、図８に示すように、略Ｕ字状のクランプ１３によって肩当て４を告知板２に挟み込み、このクランプ１３とともにビス１４止めするようにしてもよい。
あるいは、アングル材を押し当てて、このアングル材とともにビス止めするようにしてもよい。
【００５７】
支持ロッド３を折り畳む構成として、図９に示すような構成とすることができる。
【００５８】
この構成は、図９（ａ）に示すように、一方の支持ロッド構成体３ａの下端部近傍に他方の支持ロッド構成体３ｂの上端部を所定長さ重畳するように重ね合わせ、これらの重畳部分で、他方の支持ロッド構成体３ｂの上端部近傍において、一方の支持ロッド構成体３ａと他方の支持ロッド構成体３ｂを、ボルトナットからなるピボット軸１５により回動可能に連結している。
【００５９】
また、一方の支持ロッド構成体３ａと他方の支持ロッド構成体３ｂを直線上に伸ばした状態において、一方の支持ロッド構成体３ａの下端部と他方の支持ロッド構成体３ｂを貫通してこれらを固定するボルトとアイナットとからなる固定部材１６を備えている。
【００６０】
そして、一方の支持ロッド構成体３ａと他方の支持ロッド構成体３ｂを直線上に伸ばして、これらの下端部と上端部とを所定長さ重畳させた状態において、重畳部分を固定部材１６によって固定することにより、一方の支持ロッド構成体３ａと他方の支持ロッド構成体３ｂを直線状に伸ばした状態で固定する。
【００６１】
また、図９（ｂ）に示すように、他方の支持ロッド構成体３ｂを、ピボット軸１５を中心として回動させて一方の支持ロッド構成体３ａに重ね合わせるとともに、固定部材１６を取り外し、この固定部材１６によって、他方の支持ロッド構成体３ｂをピボット軸１５と反対側の端部において、一方の支持ロッド構成体３ａと告知板２を共締めする。
【００６２】
これによって、他方の支持ロッド構成体３ｂを折り畳んだ状態に保持することができる。
【符号の説明】
【００６３】
１  携帯型告知用具
２  告知板
２ａ  表示面
２ｂ  表示面
３  支持ロッド
３ａ  （一方の）支持ロッド構成体
３ｂ  （他方の）支持ロッド構成体
４  肩当て
５  ヒンジ
６  固定部材
７  ロック手段
８  ロックピン
９  ピン
１０  ロック片
１０ａ  係合溝
１１  スポンジ
１２  長穴
１３  クランプ
１４  ビス
１５  ピボット軸
１６  固定部材
Ａ  告知情報
Ｂ  告知情報
Ｍ  告知作業者
【図１】
0003227300.tif 000003
【図２】
0003227300.tif 000004
【図３】
0003227300.tif 000005
【図４】
0003227300.tif 000006
【図５】
0003227300.tif 000007
【図６】
0003227300.tif 000008
【図７】
0003227300.tif 000009
【図８】
0003227300.tif 000010
【図９】
0003227300.tif 000011